(57)【要約】【課題】本発明は、ステータのステータ片のプレス加工時に同時に加工したピン孔を連通して形成した位置決め用貫通孔に平行ピン又はスプリングピンを挿入して、ケーシングに対するステータの位置決めを行うことを目的とする。【解決手段】本発明によるロータリーソレノイドは、前蓋(1)と後蓋(2)間に設けられたステータ(4)の位置決め用貫通孔(32)に平行ピン又はスプリングピン(6)を前蓋(1)及び前蓋体(1A)の位置決め孔(1a,1b)を貫通させて挿入することにより、前蓋(1)及び後蓋(2)に対するステータ(4)の回転方向の位置決めを行う構成である。【選択図】図１
2007180162.tif 000002
【特許請求の範囲】
【請求項１】
前蓋(1)に設けられた前蓋体(1A)と、前記前蓋(1)に接合し断面コ字型をなす後蓋(2)と、前記前蓋体(1A)に設けられた第１軸受(21)と前記後蓋(2)に設けられた第２軸受(22)とにより回転自在に設けられロータ(5)を有する回転軸(23)と、前記前蓋(1)と後蓋(2)間に設けられ多数のステータ片(4a)を積層して形成されたステータ(4)とからなるロータリーソレノイドにおいて、
前記各ステータ片(4a)にプレス加工時に形成されたピン孔(32a)と、前記各ピン孔(32a)により前記ステータ(4)に形成された位置決め用貫通孔(32)と、前記前蓋(1)及び前蓋体(1A)に形成された位置決め孔(1a,1b)とを備え、前記位置決め孔(1a,1b)から前記位置決め用貫通孔(32)に挿入された平行ピン又はスプリングピン(6)により前記ステータ(4)と前記前蓋(1)及び前蓋体(1A)との位置決めを行うように構成したことを特徴とするロータリーソレノイド。
【請求項２】
前記位置決め用貫通孔(32)は、前記ステータ(4)の内方に突出する各磁極(30)に形成されていることを特徴とする請求項１記載のロータリーソレノイド。
【発明の詳細な説明】
【技術分野】
【０００１】
本発明は、ロータリーソレノイドに関し、特に、ステータに位置決め用貫通孔を設け、前蓋体及び前蓋の位置決め孔に挿入された平行ピン又はスプリングピンにより、前蓋体、前蓋及び後蓋に対するステータの位置決めを簡単かつ正確に行うための新規な改良に関する。
【背景技術】
【０００２】
従来、用いられていたこの種のロータリーソレノイドとしては、その構成を示すための特許文献等は開示していないが、ステータとケース部（前蓋及び後蓋）との位置決めは、組立て時に、事前に治工具等により接着又は調整を行い、ねじ止めにより固定していた。
【発明の開示】
【発明が解決しようとする課題】
【０００３】
従来のロータリーソレノイドは、以上のように構成されていたため、次のような課題が存在していた。
すなわち、ステータの位置決めは、治工具による接着又は調整によるねじ止めであったため、ねじとねじ孔のガタにより、位置決め精度には限界があり、組立て効率を向上させることも困難であった。
【課題を解決するための手段】
【０００４】
本発明によるロータリーソレノイドは、前蓋に設けられた前蓋体と、前記前蓋に接合し断面コ字型をなす後蓋と、前記前蓋体に設けられた第１軸受と前記後蓋に設けられた第２軸受とにより回転自在に設けられロータを有する回転軸と、前記前蓋と後蓋間に設けられ多数のステータ片を積層して形成されたステータとからなるロータリーソレノイドにおいて、前記各ステータ片にプレス加工時に形成されたピン孔と、前記各ピン孔により前記ステータに形成された位置決め用貫通孔と、前記前蓋及び前蓋体に形成された位置決め孔とを備え、前記位置決め孔から前記位置決め用貫通孔に挿入された平行ピン又はスプリングピンにより前記ステータと前記前蓋及び前蓋体との位置決めを行うようにした構成であり、また、前記位置決め用貫通孔は、前記ステータの内方に突出する各磁極に形成されている構成である。
【発明の効果】
【０００５】
本発明によるロータリーソレノイドは、以上のように構成されているため、次のような効果を得ることができる。
すなわち、ステータを構成する各ステータ片をプレス加工する際に、同時に、ピン孔を形成し、各ピン孔を連通させて位置決め用貫通孔とし、前蓋体と前蓋を貫通する位置決め孔に挿入した平行ピン又はスプリングピンを位置決め用貫通孔に挿入することにより、簡単かつ正確に前蓋及び前蓋体とステータとの位置決めを達成することができる。
【発明を実施するための最良の形態】
【０００６】
本発明は、ステータに位置決め用貫通孔を設け、前蓋体及び前蓋の位置決め孔に挿入された平行ピン又はスプリングピンにより、前蓋体、前蓋及び後蓋に対するステータの位置決めを簡単かつ正確に行うようにしたロータリーソレノイドを提供することを目的とする。
【実施例】
【０００７】
以下、図面と共に本発明によるロータリーソレノイドの好適な実施の形態について説明する。
図１において、符号１で示されるものは前蓋であり、この前蓋１には前蓋体１Ａが接合して設けられ、前蓋１及び前蓋体１Ａには互いに連通する位置決め孔１ａ，１ｂが形成されている。
前記前蓋１には、断面コ字型をなす後蓋２が接合され、この後蓋２の外側から挿入された締結ねじ２０の先端が前記前蓋体１Ａのねじ孔１Ａａに螺入することによって前述の前蓋体１Ａ、前蓋１及び後蓋２が互いに一体的に結合されている。
【０００８】
前記前蓋体１Ａの第１軸受２１及び後蓋２の第２軸受２２間には、ロータ５を有する回転軸２３が回転自在に設けられており、前記前蓋１と後蓋２間には前記ロータ５に対応してステータ４が設けられている。
【０００９】
前記ステータ４は、図１のＡ−Ａ断面を図２で示すように構成され、本形態においては、内方に突出する３個の磁極３０により、ロータ５が１２０度毎の間欠回転動作を行うように構成されている。
【００１０】
前記ステータ４の各磁極３０の外周位置には、前記締結ねじ２０を案内するためのガイド溝３１が形成され、前記各磁極３０の前記各ガイド溝３１に隣接する位置には、このステータ４を軸方向に貫通すると共に、前記各位置決め孔１ａ，１ｂと連通する位置決め用貫通孔３２が形成されている。
【００１１】
前記ステータ４に形成された前記各位置決め用貫通孔３２は、前記ステータ４を形成する際の各ステータ片４ａに形成されたピン孔３２ａを連続して連通させることにより形成されている。
すなわち、前記各ステータ片４ａをプレス加工する時に、同時に前記ピン孔３２ａを形成し、プレス加工後の各プレス片４ａを転積させて積層することにより、各ピン孔３２ａの連通によって前記位置決め用貫通孔３２が形成されている。
【００１２】
従って、図１のように、予め組立てられたロータリーソレノイドにおいて、前記締結ねじ２０を少々ゆるめた状態で、前蓋体１Ａ及び前蓋１側から前記各位置決め孔１ａ，１ｂを介して平行ピン又はスプリングピン６を前記位置決め用貫通孔３２内に挿入することにより、ケーシングである前蓋体１Ａ、前蓋１及び後蓋２に対するステータ４の回転方向の位置決めを確実に行うことができ、その後、最終的に、前記各締結ねじ２０を締結することができる。
【産業上の利用可能性】
【００１３】
本発明は、ロータリーソレノイドに限ることなく、モータ等にも適用可能である。
【図面の簡単な説明】
【００１４】
【図１】本発明によるロータリーソレノイドの断面図である。
【図２】図１のＡ−Ａ断面図である。
【符号の説明】
【００１５】
１    前蓋
１ａ，１ｂ    位置決め孔
１Ａ    前蓋体
１Ａａ    ねじ孔
２    後蓋
３    ステータコイル
４    ステータ
４ａ    ステータ片
５    ロータ
６    平行ピン又はスプリングピン
２０    締結ねじ
２１，２２    第１、第２軸受
２３    回転軸
３０    磁極
３１    ガイド溝
３２    位置決め用貫通孔
３２ａ    ピン孔
【図１】
2007180162.tif 000003
【図２】
2007180162.tif 000004